【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
可変表示を行い表示結果を導出する可変表示手段に予め定められた特定表示結果が導出されたときに、遊技者にとって有利な有利状態に制御可能な遊技機であって、
前記有利状態に制御するか否かを、表示結果が導出される以前に決定する決定手段と、
可変表示が開始されてから表示結果が導出されるまでに一旦仮停止させた後に可変表示を再度実行する再可変表示を所定回実行可能な再可変表示実行手段と、
前記再可変表示が実行されるときには第１態様で、前記再可変表示が実行されないときには第２態様で特定演出を実行する特定演出実行手段と、
前記特定演出が実行されるよりも前に前記再可変表示が実行されることを示唆する示唆演出を実行する示唆演出実行手段と、
遊技者による指示入力を検出する入力検出手段と、
前記特定演出として、前記入力検出手段による指示入力の検出にもとづき実行される入力特定演出と、前記入力検出手段による指示入力の検出にもとづかず実行される非入力特定演出とのうち、いずれを実行するかを決定する特定演出決定手段とを備え、
前記示唆演出実行手段は、
前記非入力特定演出が実行されるよりも前には所定割合で前記示唆演出を実行し、
前記入力特定演出が実行されるよりも前には前記示唆演出の実行に制限を設け、
前記入力特定演出の実行タイミングは複数ある、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示を行い表示結果を導出する可変表示手段に予め定められた特定表示結果が導出されたときに、遊技者にとって有利な有利状態に制御可能な遊技機に関する。
【手続補正３】
【補正対象書類名】明細書
【補正対象項目名】０００７
【補正方法】変更
【補正の内容】
【０００７】
（Ａ）上記目的を達成するため、本願発明に係る遊技機は、可変表示を行い表示結果を導出する可変表示手段（例えば第１および第２特別図柄表示器８ａ、８ｂや演出表示装置９など）に予め定められた特定表示結果（例えば大当り図柄となる特別図柄や大当り組合せの演出図柄など）が導出されたときに、遊技者にとって有利な有利状態（例えば大当り遊技状態など）に制御可能な遊技機（例えばパチンコ遊技機１など）であって、前記有利状態に制御するか否かを、表示結果が導出される以前に決定する決定手段（例えばステップＳ６０の処理を実行する遊技制御用マイクロコンピュータ５６０のＣＰＵ５６など）と、可変表示が開始されてから表示結果が導出されるまでに一旦仮停止させた後に可変表示を再度実行する再可変表示を所定回実行可能な再可変表示実行手段（例えばステップＳ８０１〜Ｓ８０３の処理を実行する演出制御用マイクロコンピュータ１００の演出制御用ＣＰＵ１０１など）と、前記再可変表示が実行されるときには第１態様で、前記再可変表示が実行されないときには第２態様で特定演出（例えば煽り演出など）を実行する特定演出実行手段（例えばステップＳ８５３の処理を実行する演出制御用ＣＰＵ１０１など）と、前記特定演出が実行されるよりも前に前記再可変表示が実行されることを示唆する示唆演出（例えば擬似連確定演出など）を実行する示唆演出実行手段（例えばステップＳ８４８の処理を実行する演出制御用ＣＰＵ１０１など）と、遊技者による指示入力を検出する入力検出手段（例えばスティックコントローラ１２２、プッシュボタン１２０、傾斜方向センサユニット１２３、プッシュセンサ１２４など）と、前記特定演出として、前記入力検出手段による指示入力の検出にもとづき実行される入力特定演出（例えば操作演出など）と、前記入力検出手段による指示入力の検出にもとづかず実行される非入力特定演出（例えば基本演出など）とのうち、いずれを実行するかを決定する特定演出決定手段（例えばステップＳ６８０〜Ｓ６８７の処理を実行する演出制御用ＣＰＵ１２０など）とを備え、前記示唆演出実行手段は、前記非入力特定演出が実行されるよりも前には所定割合で前記示唆演出を実行し（例えばステップＳ６９２の処理に基づいてステップＳ８４８の処理を実行する部分など）、前記入力特定演出が実行されるよりも前には前記示唆演出の実行に制限を設け（例えばステップＳ６８８でＹのときにステップＳ６９２、Ｓ８４８の処理を実行しない部分など）、前記入力特定演出の実行タイミングは複数ある。
このような構成によれば、入力特定演出が実行されるよりも前には示唆演出の実行に制限を設けて、再可変表示が実行されるか否かに対して遊技者の関心を高めることで指示入力に対する遊技者の意欲低下を防止し、遊技の興趣を向上させることができる。
（１）上記目的を達成するため、本願発明に係る他の遊技機は、各々を識別可能な複数種類の識別情報（例えば特別図柄や演出図柄など）の可変表示を行い表示結果を導出する可変表示手段（例えば第１および第２特別図柄表示器８ａ、８ｂや演出表示装置９など）に予め定められた特定表示結果（例えば大当り図柄となる特別図柄や大当り組合せの演出図柄など）が導出されたときに、遊技者にとって有利な特定遊技状態（例えば大当り遊技状態など）に制御する遊技機（例えばパチンコ遊技機１など）であって、前記特定遊技状態に制御するか否かを、識別情報の表示結果が導出される以前に決定する事前決定手段（例えばステップＳ６０の処理を実行する遊技制御用マイクロコンピュータ５６０のＣＰＵ５６など）と、識別情報の可変表示が開始されてから表示結果が導出されるまでに一旦所定表示結果（例えば擬似連チャンス目など）を仮停止させた後に全ての識別情報について可変表示を再度実行する再可変表示を所定回実行可能な再可変表示実行手段（例えばステップＳ８０１〜Ｓ８０３の処理を実行する演出制御用マイクロコンピュータ１００の演出制御用ＣＰＵ１０１など）と、前記再可変表示が実行されるときには第１態様で、前記再可変表示が実行されないときには第２態様で特定演出（例えば煽り演出など）を実行する特定演出実行手段（例えばステップＳ８５３の処理を実行する演出制御用ＣＰＵ１０１など）と、前記特定演出が実行されるよりも前に前記再可変表示が実行されることを報知する事前報知演出（例えば擬似連確定演出など）を実行する事前報知演出実行手段（例えばステップＳ８４８の処理を実行する演出制御用ＣＰＵ１０１など）と、遊技者による指示入力を検出する入力検出手段（例えばスティックコントローラ１２２、プッシュボタン１２０、傾斜方向センサユニット１２３、プッシュセンサ１２４など）と、前記特定演出として、前記入力検出手段による指示入力の検出にもとづき実行される入力特定演出（例えば操作演出など）と、前記入力検出手段による指示入力の検出にもとづかず実行される非入力特定演出（例えば基本演出など）とのうち、いずれを実行するかを決定する特定演出決定手段（例えばステップＳ６８０〜Ｓ６８７の処理を実行する演出制御用ＣＰＵ１２０など）とを備え、前記事前報知演出実行手段は、前記非入力特定演出が実行されるよりも前には所定割合で前記事前報知演出を実行し（例えばステップＳ６９２の処理に基づいてステップＳ８４８の処理を実行する部分など）、前記入力特定演出が実行されるよりも前には前記事前報知演出の実行に制限を設ける（例えばステップＳ６８８でＹのときにステップＳ６９２、Ｓ８４８の処理を実行しない部分など）。
このような構成によれば、入力特定演出が実行されるよりも前には事前報知演出の実行に制限を設けて、再可変表示が実行されるか否かに対して遊技者の関心を高めることで指示入力に対する遊技者の意欲低下を防止し、遊技の興趣を向上させることができる。